(57)【要約】
【課題】水位の調整を確実に行なえ、しかも畦が切断されず、この上を歩いたり一輪車が走行でき、作業性を向上させると共に耐久性に優れた農業用水位調整桝を提供するものである。
【解決手段】上面と背面を開口した箱状のコンクリート本体２の、前面壁３の下部側に排水管１５を接続する、プラスチック製の円筒ソケット４を取付けると共に、任意の水位に設定するコンクリート製の水位調整板９Ａを上下方向に着脱自在に取付ける取付溝７を、前記コンクリート本体２の左右両側壁５、６の背面側に形成すると共に、使用していない水位調整板９Ｂを水平に保持する保持溝８をコンクリート本体２の前面壁３と左右両側壁５、６の上部側に形成したことを特徴とするものである。
【選択図】  図５
0003101190.tif 000002
【実用新案登録請求の範囲】
【請求項１】
上面と背面を開口した箱状のコンクリート本体の、前面壁の下部側に排水管を接続する、プラスチック製の円筒ソケットを取付けると共に、任意の水位に設定するコンクリート製の水位調整板を上下方向に着脱自在に取付ける取付溝を、前記コンクリート本体の左右両側壁の背面側に形成すると共に、使用していない水位調整板を水平に保持する保持溝をコンクリート本体の前面壁と左右両側壁の上部側に形成したことを特徴とする農業用水位調整桝。
【請求項２】
水位調整板が高さの異なる複数枚のセットで構成されていることを特徴とする請求項１記載の農業用水位調整桝。
【考案の詳細な説明】
【技術分野】
【０００１】
本考案は水田の畦に設置する農業用水位調整桝に関するものである。
【背景技術】
【０００２】
一般に水田は、畦で仕切られた隣接する水田の水位を変えて、水が上流側の水田から下流側の水田に順次供給されるようになっている。従来の水位調整は、畦の一部を切って排水溝を形成し、この排水溝に適当な高さの板を挟んで、この板の上部から溢れた水が下流側の水田に流れ出すようになっている。
【０００３】
しかしながら、大雨が降って畦に切った排水溝に大量の水が流れて排水溝が崩れると、板が倒れて水が流出してしまい水位の調整ができない問題があった。また畦の一部を切って排水溝を形成するため、畦の上を歩いたり、一輪車などで運搬する場合に走行できない問題もあった。
【考案の開示】
【考案が解決しようとする課題】
【０００４】
本考案は上記問題を改善し、水位の調整を確実に行なえ、しかも畦が切断されずこの上を歩いたり一輪車が走行でき、作業性を向上させると共に耐久性に優れた農業用水位調整桝を提供するものである。
【課題を解決するための手段】
【０００５】
本考案の請求項１記載の農業用水位調整桝は、上面と背面を開口した箱状のコンクリート本体の、前面壁の下部側に、排水管を接続するプラスチック製の円筒ソケットを取付けると共に、任意の水位に設定するコンクリート製の水位調整板を上下方向に着脱自在に取付ける取付溝を、前記コンクリート本体の左右両側壁の背面側に形成すると共に、使用していない水位調整板を水平に保持する保持溝をコンクリート本体の前面壁と左右両側壁の上部側に形成したことを特徴とするものである。
【０００６】
本考案の請求項２記載の農業用水位調整桝は、水位調整板が高さの異なる複数枚のセットで構成されていることを特徴とするものである。
【考案の効果】
【０００７】
本考案に係る請求項１記載の農業用水位調整桝によれば、箱状のコンクリート本体の背面開口部に任意に高さの水位調整板を取付けて、水田の水位が上昇して水位調整板の高さに達するとここでせき止められ、ここから溢れた水は、背面開口部の上側を通ってコンクリート本体内に流入し、更に円筒ソケットから排水管を通って用水路に排水されるので水田の水位を一定に調整することができる。
【０００８】
また水位を変えたい場合には、別の水位調整板を取付溝に交換し、取外した他方の水位調整板は、コンクリート本体の上部側に形成した保持溝に嵌合させて、畦の上面と水平に保持しておくので紛失を防止することができる。また他方の水位調整板は畦の高さと同じ高さになるように保持されているのでこの上を歩いたり一輪車が走行することができ作業性に優れている。更にコンクリート本体や水位調整板はコンクリートで形成されているので、強度が高く耐久性に優れしかも安価に製造することができる。
【０００９】
また請求項２記載の農業用水位調整桝によれば、水位調整板が高さの異なる複数枚のセットで構成されているので、任意の水位に調整することができる。
【考案を実施するための最良の形態】
【００１０】
水田の水位を調整するようにした農業用水位調整桝を実現した。
【実施例１】
【００１１】
以下本考案の実施例を図１ないし図５を参照して詳細に説明する。図１および図２に示すように、１は農業用水位調整桝を示すもので、これは上面と背面を開口した箱状のコンクリート本体１で形成され、この前面壁３の下部側に塩化ビニール管などのプラスチック製の円筒ソケット４が貫通して一体に取付けられている。またコンクリート本体１の左右両側壁５、６の背面側には、それぞれ平面コ字形の取付溝７、７が上下方向に形成されている。更にコンクリート本体１の左右両側壁５、６の上面側にはＬ形の保持溝８、８がそれぞれ形成され、その対向面の間隔は、取付溝７、７の間隔と同じに形成されている。
【００１２】
また図３に示す９Ａは、コンクリート製の水位調整板で、その高さはコンクリート本体１の背面開口部１１よりやや低く形成され、その幅は左右両側壁５、６に対向して形成された両取付溝７、７の間隔より僅かに短く形成され、更に板厚は、取付溝７の内幅より僅かに小さく形成されている。また９Ｂもコンクリート製の水位調整板で、前記コンクリート製の水位調整板９Ａより高さが低く、その幅や板厚は同じである。
【００１３】
上記構成の農業用水位調整桝は、例えば図５に示すように水田１３と用水路１６との間の畦１４を一部切り取って、農業用水位調整桝１の上部と畦１４が同じ高さになるように設置する。また円筒ソケット４に排水管１５を接続して用水路１６に連通させ、畦１４の下を貫通するように埋設する。この後、図４に示すように水位調整板９Ａの両端を取付溝７、７の上方から差し込んで取付ける。また使用していない水位調整板９Ｂは水平にして、箱状のコンクリート本体２の上部側に形成した保持溝８、８に嵌合させると、上面が畦１４と水平になる。
【００１４】
この状態で水１７を図示しない隣接する水田側から引き入れると、水田１３の水位が上昇していく。水位が水位調整板９Ａの高さに達すると、ここから溢れた水１７は、背面開口部１１を通って箱状のコンクリート本体２内に流入し、更に前面壁３の下部側に取付けた円筒ソケット４から排水管１５を通って用水路１６に排水され、水田１３の水位が一定に保たれる。
【００１５】
また水位を低くしたい場合には、水位調整板９Ａを取付溝７、７から取外して高さの低い水位調整板９Ｂに交換し、外した水位調整板９Ａは、箱状のコンクリート本体２の上部側に形成した保持溝８、８に嵌合させて水平に保持する。
【００１６】
従って、水位調整板９Ａ、９Ｂの何れか一方は、取付溝７、７に取付け、使用していない他方は保持溝８、８に保持させて保管しておくので紛失を防止することができる。また使用していない他方の水位調整板９Ｂは図５に示すように畦１４の高さと同じ高さになるように水平に保持されているのでこの上を歩いたり一輪車が走行することができ作業性に優れている。また箱状のコンクリート本体２や水位調整板９Ａ、９Ｂはコンクリートで形成されているので、強度が高く耐久性に優れしかも安価に製造することができる。
【００１７】
なお上記説明では高さの異なる水位調整板９Ａ、９Ｂを２枚セットで用いた場合について示したが、低い水位調整板９Ｂを３枚セットで用いても良く、水位を高く設定する時は２枚の水位調整板９Ｂ、９Ｂを取付溝７、７に取付ければ良い。
【産業上の利用可能性】
【００１８】
なお上記説明では水田の水位を調整する場合について説明したが、農業用水位調整桝を畦の用水路側に設けて、用水路から水田に水を引き入れる場合にも使用することができる。
【図面の簡単な説明】
【００１９】
【図１】本考案の実施例による農業用水位調整桝の正面側から見た斜視図である。
【図２】図１の農業用水位調整桝を背面側から見た斜視図である。
【図３】水位調整板を示す斜視図である。
【図４】図１の農業用水位調整桝に水位調整板を取付けた状態を示す斜視図である。
【図５】図１の農業用水位調整桝を畦に設置して水田の水位を調整している状態を示す断面図である。
【符号の説明】
【００２０】
１    農業用水位調整桝                                      
２    箱状のコンクリート本体                                
３    前面壁                                                
４    円筒ソケット                                          
５    左側壁                                                
６    右側壁                                                
７    取付溝                                                
８    保持溝                                                
９Ａ  水位調整板                                            
９Ｂ  水位調整板                                            
１０  取っ手                                                
１１  背面開口部                                            
１２  上面開口部                                            
１３  水田                                                  
１４  畦                                                    
１５  排水管                                                
１６  用水路                                                
１７  水                                                                
【図１】
0003101190.tif 000003
【図２】
0003101190.tif 000004
【図３】
0003101190.tif 000005
【図４】
0003101190.tif 000006
【図５】
0003101190.tif 000007